【事件の表示】
　特許第２７４７２７４号「遊技機」の請求項１ないし２に係る特許に対する特許異議の申立てについて、次のとおり決定する。
【結　論】
　訂正を認める。
　特許第２７４７２７４号の請求項１ないし２に係る特許を維持する。
【理　由】
１．手続きの経緯
　本件特許第２７４７２７４号は、出願日が平成５年１１月２２日の特願平５−２９２０７４号出願を分割した特願平８−９７０５６号出願であつて、平成１０年２月１３日に設定登録されたものである。そして、平成１０年１１月６日に特許異議申立人小林　澄より特許異議の申立てがなされ、当審の平成１２年７月２７日（発送日）の取消理由通知に対し、特許権者より訂正請求がなされた。
　なお、当審の平成１１年３月１５日付の取消理由通知に対する、特許権者による平成１１年５月１４日付訂正請求は、取り下げられた。
２．訂正について
１）訂正の要旨
（１）訂正事項ａ
　本件特許明細書（以下、「本件明細書」という。）における特許請求の範囲の請求項１乃至２に係る記載
　「【請求項１】遊技盤と該遊技盤を内側に収容する略長方形の本体枠とを含む本体側と、前記遊技盤の前面側を覆って前記遊技盤との間に遊技領域を形成するためのガラス板を保持するガラス枠と、発射装置に供給するための遊技球を貯留する上受け皿とを備えて、前記発射装置によって発射されて前記遊技盤の前面側に形成された遊技領域に撃ち込まれた遊技球の挙動により所定の入賞状態が発生した際に設定数の遊技球を賞球として排出する遊技機において、
　前記本体枠の内側に収容され、少なくとも前記遊技領域を形成するための領域を覆うことなく前記遊技盤を保持し背面側には賞球払出装置が装着される裏盤を設け、
　軸支手段を介して前記本体側に取り付けられ該本体側に対して開閉自在な上部前面枠であって、前記ガラス板と共同して前記本体側の前記上受け皿よりも上方の前面部分のほぼ全域を覆う上部前面枠を設けると共に、
　前記上受け皿を、前記上部前面枠とは別個に前記本体側で支持する構造としたことを特徴とする遊技機。
【請求項２】前記裏盤はプラスチック製であることを特徴とする請求項１記載の遊技機。」を、
　「【請求項１】遊技盤と該遊技盤を内側に収容する略長方形の本体枠とを含む
本体側と、前記遊技盤の前面側を覆って前記遊技盤との間に遊技領域を形成する
ためのガラス板を保持するガラス枠と、発射装置に供給するための遊技球を貯留
する上受け皿とを備えて、前記発射装置によって発射されて前記遊技盤の前面側
に形成された遊技領域に撃ち込まれた遊技球の挙動により所定の入賞状態が発生
した際に設定数の遊技球を賞球として排出する遊技機において、
　前記本体枠の内側に収容され、少なくとも前記遊技領域を形成するための領域
を覆うことなく前記遊技盤を保持し背面側には賞球払出装置が装着される裏盤を
設け、
　軸支手段を介して前記本体側に取り付けられ該本体側に対して開閉自在な上部
前面枠であって、該上部前面枠とは別体で該上部前面枠の背面側に係合支持手段
を介して取付けられた前記ガラス枠のガラス板と共同して前記本体側の前記上受
け皿よりも上方の前面部分のほぼ全域を覆う上部前面枠を設けると共に、
　前記上受け皿が設けられている皿部材を、前記上部前面枠とは別個に、かつ皿
部材軸支手段を介して前記本体側に開閉可能に取付けたことを特徴とする遊技機。
　【請求項２】　前記裏盤はプラスチック製であることを特徴とする請求項１記
載の遊技機。」と訂正する。
（２）訂正事項ｂ
　本件明細書段落０００５を、
　「【０００５】
【課題を解決するための手段】
　上記課題を解決するための手段として、本発明の遊技機は、遊技盤と該遊技盤
を内側に収容する略長方形の本体枠とを含む本体側と、前記遊技盤の前面側を覆
って前記遊技盤との間に遊技領域を形成するためのガラス板を保持するガラス枠
と、発射装置に供給するための遊技球を貯留する上受け皿とを備えて、前記発射
装置によって発射されて前記遊技盤の前面側に形成された遊技領域に撃ち込まれ
た遊技球の挙動により所定の入賞状態が発生した際に設定数の遊技球を賞球とし
て排出する遊技機において、前記本体枠の内側に収容され、少なくとも前記遊技
領域を形成するための領域を覆うことなく前記遊技盤を保持し背面側には賞球払
出装置が装着される裏盤を設け、軸支手段を介して前記本体側に取り付けられ該
本体側に対して開閉自在な上部前面枠であって、該上部前面枠とは別体で該上部
前面枠の背面側に係合支持手段を介して取付けられた前記ガラス枠のガラス板と
共同して前記本体側の前記上受け皿よりも上方の前面部分のほぼ全域を覆う上部
前面枠を設けると共に、前記上受け皿が設けられている皿部材を、前記上部前面
枠とは別個に、かつ皿部材軸支手段を介して前記本体側に開閉可能に取付けている。」と訂正する。
２）訂正の目的の適否、新規事項の追加及び拡張・変更の存否
（１）訂正事項ａ
　訂正前の請求項１に係る発明の構成要件中、ガラス枠の取付け位置を上部前面枠の背面側に限定し、またガラス枠が係合支持手段を介して上部前面枠に取付けられている点に限定し、さらに上受け皿が設けられている皿部材が上部前面枠とは別個に、皿部材軸支手段を介して本体側に開閉可能に取付けられている点を限定することにより、特許請求の範囲を減縮するものである。
　この訂正は、願書に最初に添付した明細書に記載した事項の範囲内であって、新規事項を含むものではなく、また、実質上特許請求の範囲を拡張しまたは変更するものではない。
（２）訂正事項ｂ
　特許請求の範囲の訂正に対応して、本件明細書の記載をこれと対応するように訂正するものであるから、明りょうでない記載の釈明を目的とするものであり、適法な訂正である。
３）独立特許要件の適否
（１）明細書の記載不備について
　当審の平成１２年７月２７日（発送日）の取消理由通知において指摘した、明細書の特許請求の範囲の記載不備は、特許権者による同日付の訂正請求により解消した。
（２）発明の進歩性について
Ａ．訂正後の請求項１に係る発明について
ａ．引用刊行物
　刊行物１　実公平３−４２９９号公報
　刊行物２　特公昭６３−３６２６９号公報
　刊行物３　実願平２−５６９５１号（実開平４−１５９８５号）のマイクロフ　　　　　　イルム
　刊行物４　実願昭５８−１３８２２１号（実開昭６０−４５０８０号）のマイ　　　　　　クロフイルム
　上記刊行物１には、次の事項が記載されている。
ア．　本考案は．遊技板の前面を被うガラス板を装着するためのパチンコ機における改良されたガラス板装着枠に関する。（第１頁第１欄第１３乃至１５行）
イ．　第１図は本考案に係るパチンコ機の正面図、第２図は上図のII一II線に沿った縦断側面図である。図面の符合１はパチンコ機の外形を構成する機枠体で、２はこの機枠体の一側に図示しない蝶番を介して開閉自由に蝶着される扉枠であり、３は扉枠に開設する開ロ部４に一側を蝶着して開閉自由に取付けたガラス板装着枠、５はこのガラス板装着枠の下方に同じく図示しない蝶番を介して開閉自由に取付けた前枠板である。（第２頁第３欄第２８乃至３６行）
ウ．　機枠体１は縦長長方形状に板材を以て枠組構成されたもので、これの前面一側縁に蝶着される扉枠２は中央部に大きな関口部４を設けて額縁形に形成してあり、この額縁の背面に金属板で成形した筺形の機構枠体６を固定し、開ロ部４に向けて開放した内部に遊技板７が収められるようにしてある。
　８は上記遊技板７を受けるため機構枠体内部に固定した受台で、この受台の前面に発射球を遊技板前面の遊技部に誘導する発射レール９、フアール球誘導通路１０等が付設され、また、この遊技板を収める機構枠体６の背面には賞球を貯留するタンクを始めとして賞球を放出する賞球装置、セーフ球を受けるセーフ球誘導室、セーフ球を検出し上記賞球装置に開放の動作をなさしめるセーフ球検出装置等の諸種のパチンコ機に必要な装置類１１が装備される。（第２頁第３欄第４１行乃至同第４欄第１３行）
エ．　前枠板５は前面に上部賞球受皿１５を備え、背面にこの受皿から送られる球を前記発射杵の先端に一個ずつ送り込む打球供給装置が設備される。
　さて、ガラス板装着枠３は前面板３ａを主体にして内外２枚のガラス板１６，１７と、このガラス板を前後に隔てる飾り枠１８から構成されており、（第２頁第４欄第１８行乃至２４行）
オ．　図中２３は上記ガラス板装着枠３が取付けられる扉枠２の前面左右に縦に配置固定した補助枠で、（第３頁第５欄第１２行乃至１４行）
　上記ア乃至オの記載事項及び第１〜２図の記載から、刊行物１には、
　「遊技板と該遊技板を内側に収容する略長方形の機枠体とを含む本体側と、前記遊技板の前面側を被って前記遊技板との間に遊技領域を形成するためのガラス板を保持するガラス板装着枠と、発射装置に供給するための球を貯留する上部賞球受皿とを備えて、前記発射装置によって発射されて前記遊技板の前面側に形成された遊技領域に撃ち込まれた球の挙動により所定の入賞状態が発生した際に設定数の球を賞球として排出するパチンコ機において、
　前記機枠体の内側に収容され、少なくとも前記遊技領域を形成するための領域を被うことなく前記遊技板を保持し背面側には賞球装置が装着される機構枠体を設け、
　機枠体の一側に蝶番を介して蝶着された扉枠に、蝶番を介して取り付けられ該扉枠に対して開閉自由なガラス板装着枠であって、その背面側に取付けられたガラス板と共同して前記本体側の前記上部賞球受皿よりも上方の前面部分の大部分を被うガラス板装着枠を設けると共に、
　前記上部賞球受皿が設けられている前枠板を、前記ガラス板装着枠とは別個に、かつ蝶番を介して前記扉枠に開閉自由に取付けたことを特徴とするパチンコ機。」（「刊行物１に記載の発明」という。）
　一方、上記刊行物２には、
カ．　パチンコ機１は、第１図に示すように、前後面が開放している機枠２の前面開口部に額縁状の前面枠３を一側部の前面枠用ヒンジ４によって開閉自在に装着し、該前面枠３の裏側には該前面枠３に開設した窓部５を後方から塞ぐようにして遊技盤６を装着し、該遊技盤６の裏面には機構盤７を機構盤用ヒンジ８によって開閉且つ着脱可能に設けて前面枠３、遊技盤６、機構盤７を前後方向に重ね合せた構造とする。（第２頁第４欄第３２乃至４０行）
キ．　前面枠３の窓部５にはガラス枠１３とパネル１４とを上下二段に設けることにより窓部５の前側開□部を塞ぐ。ガラス枠１３は、金属製のフレ−ム１３ａ内に透明ガラス１３ｂを二重にして収納したもので．一側部に設けたガラス枠用ヒンジ１５によって窓部５に対して開閉自在に装着し、（第３貢第５欄第３乃至９行）
と記載されている。
　また、上記刊行物３には、
ク．　本考案は、パチンコ機の窓枠扉又は本枠扉を遠隔操作により解錠する解錠装置に関する。（第１頁第１８乃至１９行）
ケ．　錠装置は第１図に示すように構成されている。パチンコ機１０の本枠扉１１の裏面の上下位置に係止部材を構成するリング１２ａ，１２ｂが配設されている。又、本体１３の前面において、本枠扉１１が閉じられた時・・・・・（第３頁第１８行乃至第４頁第２行）
コ．　一方、窓枠扉５４にも、止具８２ａ，８２ｂと同様な構造の止具５３が配設されており、本枠扉８１には、上記のピン８３ａと同様なピン８５とそのピン８５を駆動するソレノイド８６が配設されている。（第１６頁第２乃至６行）
と記載されている。
　更に、上記刊行物４には、
サ．　扉のガラス又はパチンコ盤の隅に広告用シールを貼着したことを特徴とするパチンコ台。（第１頁第５乃至６行）
シ．　パチンコ台、Ａの前面はガラス１をはめた扉Ｂとパチンコ盤Ｃとで構成されている。ところでパチンコ盤Ｃは中央部分にパチンコ玉が運動通過するほぼ円形の釘部４を有していて、・・・・・（第１頁第１６乃至１９行）
と記載されている。
ｂ．対比・判断
　本件請求項１に係る発明（前者）と刊行物１に記載の発明（後者）を対比すると、後者の遊技板、機枠体、ガラス板装着枠、球、上部賞球受皿、パチンコ機、賞球装置、機構枠体、蝶番、ガラス板装着枠、前枠板が前者の遊技盤、本体枠、ガラス枠、遊技球、上受け皿、遊技機、賞球払出装置、裏盤、軸支手段、上部前面枠、皿部材、にそれぞれ相当しており、前者と後者は、次の点で相違しているが、その余の点では一致している。
あ．前者は、「軸支手段を介して前記本体側に取り付けられ該本体側に対して開閉自在な上部前面枠であって、該上部前面枠とは別体で該上部前面枠の背面側に係合支持手段を介して取付けられた前記ガラス枠のガラス板と共同して前記本体側の前記上受け皿よりも上方の前面部分のほぼ全域を覆う上部前面枠を設ける」のに対し、後者は、「機枠体の一側に蝶番を介して蝶着された扉枠に、蝶番を介して取り付けられ該扉枠に対して開閉自由なガラス板装着枠であって、その背面側に取付けられたガラス板と共同して前記本体側の前記上部賞球受皿よりも上方の前面部分の大部分を被うガラス板装着枠を設ける、」点で相違（「相違点１」という。）している。
い．前者は、「前記上受け皿が設けられている皿部材を、前記上部前面枠とは別個に、かつ皿部材軸支手段を介して前記本体側に開閉可能に取付けた」のに対し、後者は、「前記上部賞球受皿が設けられている前枠板を、前記ガラス板装着枠とは別個に、かつ蝶番を介して前記扉枠に開閉自由に取付けた」点で相違（「相違点２」という。）している。
　相違点１を検討すると、後者の扉枠が閉じられた状態においては、扉枠は機枠体側、即ち本体側とみなすことができる。しかし、後者には、相違点１における前者の如き上部前面枠を有しない。即ち、「軸支手段を介して前記本体側に取り付けられ該本体側に対して開閉自在な上部前面枠であって、該上部前面枠とは別体で該上部前面枠の背面側に係合支持手段を介して取付けられた前記ガラス枠のガラス板と共同して前記本体側の前記上受け皿よりも上方の前面部分のほぼ全域を覆う上部前面枠」の構成を有しないものである。
　次に、相違点２を検討すると、相違点２の前者の構成の「前記上部前面枠」は、相違点１で検討した如く後者には無いものである。
　そして、刊行物２乃至４にも、上記上部前面枠の構成は記載されていない。
　したがって、本件訂正後の請求項１に係る発明は、上記刊行物１乃至４に記載された発明に基づいて、当業者が容易に発明をすることができたとすることはできない。
Ｂ．訂正後の請求項２に係る発明について
　訂正後の請求項２に係る発明は、上記訂正後の請求項１に係る発明を引用しており、検討するまでもなく上記刊行物１乃至４に記載の発明に基づいて、当業者が容易に発明ををすることができたものとすることはできない。
４）むすび
　以上のとおりであるから、上記訂正は、特許法第１２０条の４、第２項ただし書きの規定並びに平成５年法律第２６号により改正された特許法第１２６条第１項ただし書き、同条第２項及び第３項の規定に適合するので、認めることができるものである。
３．特許異議の申立についての判断
１）本件発明
　本件発明は、上記訂正請求により訂正された特許請求の範囲の請求項１及び請求項２に記載されたとおりのものである。
２）特許異議申立ての理由の概要
　特許異議申立ての理由の概要は、実公平３−４２９９号公報（甲第１号証）、特開平６−１９８０５３号公報（甲第２号証）、特公昭６３−３６２６９号公報（甲第３号証）、実願平２−５６９５１号（実開平４−１５９８５号）のマイクロフイルム（甲第４号証）、実願昭５８−１３８２２１号（実開昭６０−４５０８０号）のマイクロフイルム（甲第５号証）を提出して、本件特許の請求項１乃至２に係る発明は、前記各甲号証に記載された発明に基づいて当業者が容易に発明をすることができたものであるから、本件請求項１乃至２に係る特許は、特許法第２９条第２項規定に該当するものに対してなされたものであって、取り消されるべきものであるというにある。
３）当合議体の判断
　上記訂正後の請求項１及び２に係る発明は、上記２の３）（２）において検討した如く、刊行物１乃至４、言い換えると甲第１号証及び甲第３乃至５号証の記載に基づいて容易に発明をすることができたものとすることはできない。
　そして、本件特許に係る出願は平成５年１１月２２日にされたものとみなされ、一方特開平６−１９８０５３号公報の甲第２号証刊行物は平成６年７月１９日に発行されたものであるから、甲第２号証刊行物は、本件特許出願前に頒布されたものとは認められず、その記載内容を検討するまでもないものである。
４．むすび
　以上のとおりであるから、特許異議申立ての理由及び証拠方法によっては、特許請求の範囲の請求項１及び２に係る発明についての本件特許を取り消すことはできない。
　また、他に訂正明細書の特許請求の範囲第１項及び第２項に記載した事項によって構成される発明についての特許を取り消すべき理由を発見しない。
　よって、結論のとおり決定する。
【異議決定日】
平成１２年９月２２日（２０００．９．２２）
【訂正の要旨】
１．訂正の要旨
１）本件特許の請求項１乃至２に係る発明
　本件特許明細書（以下、「本件明細書」という。）における特許請求の範囲の請求項１乃至２に係る記載
　「【請求項１】遊技盤と該遊技盤を内側に収容する略長方形の本体枠とを含む本体側と、前記遊技盤の前面側を覆って前記遊技盤との間に遊技領域を形成するためのガラス板を保持するガラス枠と、発射装置に供給するための遊技球を貯留する上受け皿とを備えて、前記発射装置によって発射されて前記遊技盤の前面側に形成された遊技領域に撃ち込まれた遊技球の挙動により所定の入賞状態が発生した際に設定数の遊技球を賞球として排出する遊技機において、
　前記本体枠の内側に収容され、少なくとも前記遊技領域を形成するための領域を覆うことなく前記遊技盤を保持し背面側には賞球払出装置が装着される裏盤を設け、
　軸支手段を介して前記本体側に取り付けられ該本体側に対して開閉自在な上部前面枠であって、前記ガラス板と共同して前記本体側の前記上受け皿よりも上方の前面部分のほぼ全域を覆う上部前面枠を設けると共に、
　前記上受け皿を、前記上部前面枠とは別個に前記本体側で支持する構造としたことを特徴とする遊技機。
　【請求項２】前記裏盤はプラスチック製であることを特徴とする請求項１記載の遊技機。」を、
　「【請求項１】遊技盤と該遊技盤を内側に収容する略長方形の本体枠とを含む本体側と、前記遊技盤の前面側を覆って前記遊技盤との間に遊技領域を形成するためのガラス板を保持するガラス枠と、発射装置に供給するための遊技球を貯留する上受け皿とを備えて、前記発射装置によって発射されて前記遊技盤の前面側に形成された遊技領域に撃ち込まれた遊技球の挙動により所定の入賞状態が発生した際に設定数の遊技球を賞球として排出する遊技機において、
　前記本体枠の内側に収容され、少なくとも前記遊技領域を形成するための領域を覆うことなく前記遊技盤を保持し背面側には賞球払出装置が装着される裏盤を設け、
　軸支手段を介して前記本体側に取り付けられ該本体側に対して開閉自在な上部前面枠であって、該上部前面枠とは別体で該上部前面枠の背面側に係合支持手段を介して取付けられた前記ガラス枠のガラス板と共同して前記本体側の前記上受け皿よりも上方の前面部分のほぼ全域を覆う上部前面枠を設けると共に、
　前記上受け皿が設けられている皿部材を、前記上部前面枠とは別個に、かつ皿部材軸支手段を介して前記本体側に開閉可能に取付けたことを特徴とする遊技機。
　【請求項２】　前記裏盤はプラスチック製であることを特徴とする請求項１記載の遊技機。」と訂正する。
２）本件明細書段落０００５を、
　「【０００５】
　【課題を解決するための手段】
　上記課題を解決するための手段として、本発明の遊技機は、遊技盤と該遊技盤を内側に収容する略長方形の本体枠とを含む本体側と、前記遊技盤の前面側を覆って前記遊技盤との間に遊技領域を形成するためのガラス板を保持するガラス枠と、発射装置に供給するための遊技球を貯留する上受け皿とを備えて、前記発射装置によって発射されて前記遊技盤の前面側に形成された遊技領域に撃ち込まれた遊技球の挙動により所定の入賞状態が発生した際に設定数の遊技球を賞球として排出する遊技機において、前記本体枠の内側に収容され、少なくとも前記遊技領域を形成するための領域を覆うことなく前記遊技盤を保持し背面側には賞球払出装置が装着される裏盤を設け、軸支手段を介して前記本体側に取り付けられ該本体側に対して開閉自在な上部前面枠であって、該上部前面枠とは別体で該上部前面枠の背面側に係合支持手段を介して取付けられた前記ガラス枠のガラス板と共同して前記本体側の前記上受け皿よりも上方の前面部分のほぼ全域を覆う上部前面枠を設けると共に、前記上受け皿が設けられている皿部材を、前記上部前面枠とは別個に、かつ皿部材軸支手段を介して前記本体側に開閉可能に取付けている。」と訂正する。
（５４）【発明の名称】
遊技機
（５７）【特許請求の範囲】
　【請求項１】　遊技盤と該遊技盤を内側に収容する略長方形の本体枠とを含む本体側と、前記遊技盤の前面側を覆って前記遊技盤との間に遊技領域を形成するためのガラス板を保持するガラス枠と、発射装置に供給するための遊技球を貯留する上受け皿とを備えて、前記発射装置によって発射されて前記遊技盤の前面側に形成された遊技領域に撃ち込まれた遊技球の挙動により所定の入賞状態が発生した際に設定数の遊技球を賞球として排出する遊技機において、
　前記本体枠の内側に収容され、少なくとも前記遊技領域を形成するための領域を覆うことなく前記遊技盤を保持し背面側には賞球払出装置が装着される裏盤を設け、
　軸支手段を介して前記本体側に取り付けられ該本体側に対して開閉自在な上部前面枠であって、
該上部前面枠とは別体で該上部前面枠の背面側に係合支持手段を介して取付けられた前記ガラス枠のガラス板と共同して
　
前記上受け皿が設けられている皿部材を、前記上部前面枠とは別個に、かつ皿部材軸支手段を介して前記本体側に開閉可能に取付けた
　【請求項２】　前記裏盤はプラスチック製であることを特徴とする請求項１記載の遊技機。
【発明の詳細な説明】
　【０００１】
　【発明の属する技術分野】
　本発明は、パチンコ機等、遊技球の入賞に応じて賞球を機外に排出する遊技機に関する。
　【０００２】
　【従来の技術】
　従来、例えばパチンコ機やアレンジボール式遊技機（アレパチ）等の鋼製の遊技球を使用する遊技機は、木製の本体枠、蝶番を介して本体枠に装着された木製の前枠、前枠に固定されて遊技盤を支承するプラスチック製の中枠、遊技盤の裏側に配されて賞球タンク、賞球払出装置、制御基盤等が取り付けられるプラスチック製のいわゆる裏パック等を備えていた。
　【０００３】
　遊技盤の周囲の構造を詳しく述べると、中枠は前枠に固定され、その中枠に遊技盤が固定されていて、裏パックは、中枠とで遊技盤を挟むようにして中枠に連結されていた。
　【０００４】
　【発明が解決しようとする課題】
　ところで、前述の構造とすると、遊技盤の保持には前枠と中枠とが必要で、さらに賞球払出装置等を取り付けるためには裏パックが必要であった。つまり、遊技機の内部構造となる枠類が多かった。
　【０００５】
　【課題を解決するための手段】
　上記課題を解決するための手段として、本発明の遊技機は、遊技盤と該遊技盤を内側に収容する略長方形の本体枠とを含む本体側と、前記遊技盤の前面側を覆って前記遊技盤との間に遊技領域を形成するためのガラス板を保持するガラス枠と、発射装置に供給するための遊技球を貯留する上受け皿とを備えて、前記発射装置によって発射されて前記遊技盤の前面側に形成された遊技領域に撃ち込まれた遊技球の挙動により所定の入賞状態が発生した際に設定数の遊技球を賞球として排出する遊技機において、前記本体枠の内側に収容され、少なくとも前記遊技領域を形成するための領域を覆うことなく前記遊技盤を保持し背面側には賞球払出装置が装着される裏盤を設け、軸支手段を介して前記本体側に取り付けられ該本体側に対して開閉自在な上部前面枠であって、
該上部前面枠とは別体で該上部前面枠の背面側に係合支持手段を介して取付けられた前記ガラス枠のガラス板と共同して
前記上受け皿が設けられている皿部材を、前記上部前面枠とは別個に、かつ皿部材軸支手段を介して前記本体側に開閉可能に取付けて
　【０００６】
　【発明の実施の形態】
　上記構成の遊技機では、遊技盤の前面側に形成される遊技領域に発射された遊技球の挙動により所定の入賞状態が発生した際に設定数の遊技球を賞球として排出する。ここでいう入賞状態の発生とは、パチンコ機では入賞口（入賞チャッカー）への遊技球の入球であり、アレパチでは例えば隣接する４つ以上のチャッカーに遊技球が入球する等の所定の組合せが実現されることである。
　【０００７】
　この遊技機においては、裏盤は遊技盤を保持し、裏盤の背面側には賞球払出装置が装着されるから、従来、遊技盤の保持に必要としていた前枠と中枠とが不要になり、さらに賞球払出装置を取り付けるための裏パックも不要となる。つまり、裏盤は、遊技盤と賞球払出装置を保持するという観点からすれば、従来の前枠、中枠および裏パックの３者の機能を兼ねているわけで、遊技機の内部構造となる枠類を削減している。また部品点数の削減に伴って組み立て工数を削減することもできる。
　【０００８】
　なお、請求項２記載のように裏盤をプラスチック製とすれば、例えば射出成形等で簡単に製造でき、寸法の誤差も小さくできる。
　【０００９】
　【実施例】
　次に、本発明の好適な一実施例を参照して発明の実施の形態をさらに詳しく説明する。
　図１は本発明の遊技機としてのパチンコ機１０の正面図であり、周知の遊技盤１２を備えている。遊技盤１２の前面側は、装飾部１３ａを備えるほぼ全体がプラスチック製のガラス枠１３を介してほぼ全体がプラスチック製の上部前面枠（以下、単に前面枠ともいう）１４に装着された二重のガラス１６ａ、１６ｂで覆われており、遊技盤１２と内側のガラス１６ａおよび装飾部１３ａとの間に遊技領域１８が形成されている。前面枠１４の上部にはいわゆる大当り状態が発生した際に点灯する大当りランプ２０が組み付けられている。また、前面枠１４は、右側部２２に設けられた錠２４を操作することにより、左側部２６の裏面側に装着されている軸支手段としての迫出しヒンジ１７６ａ、１７６ｂ（詳細は後述）を軸として開閉可能である。
　【００１０】
　前面枠１４の下方には、プラスチック製で、上受け皿２８および下受け皿３０が一体的に設けられた皿部材３２が配されている。上受け皿２８および下受け皿３０には、それぞれにパチンコ機１０内部からの遊技球を排出するための上皿排出口３４および下皿排出口３６が開口している。また、皿部材３２には複数の小孔からなるスピーカ面３８が設けられており、スピーカ面３８の裏側には遊技状態に応じて音声を発するスピーカ（図示略）が装着されている。さらに皿部材３２には、上受け皿２８から供給される遊技球を遊技領域１８に発射するためのモータ（図示略）を操作する発射ハンドル４０および遊技球の発射を一時的に停止するためのストップスイッチ４２が設置されている。さらに皿部材３２の下方には、裾板４３が設置されている。
　【００１１】
　この皿部材３２は左裏側に装着された迫出しヒンジ１７６ｃ、１７６ｄ（詳細は後述）を軸として開閉可能であるが、通常の使用時には右裏側にてロックされて閉状態に保持されている。また通常の使用時には、皿部材３２は前面枠１４によって上辺部分を押さえられ開放を防止されている。したがって、皿部材３２を開くには、前面枠１４を開放し右裏側のロックを解除する必要がある。
　【００１２】
　図２に示すようにパチンコ機１０の裏面側には、パチンコ機１０の各部材を支持すると共に遊技機設置島（以下、単に島という）に装着するための部材でもあるプラスチック製の本体枠４４が配されており、上述の前面枠１４および皿部材３２は迫出しヒンジ１７６ａ、１７６ｂ、１７６ｃ、１７６ｄ（迫出しヒンジ１７６ｂは図２には示さない）を介して本体枠４４と連結されている。この本体枠４４には、遊技盤１２を支承する裏盤４８が組み付けられている。
　【００１３】
　図２、図３および図４に示すように、裏盤４８は中央部に略５角形状の窓４８ａを備える略長方形で、裏盤４８の上端部には島の上部に設置された球供給路（図示略）から供給される遊技球を貯留するプラスチック製の賞球タンク５０が設置されている。賞球タンク５０には、中央やや左寄りに遊技球の荷重の有無によって遊技球の有無を検知する荷重センサ５２が設置されており、賞球タンク５０の下部には遊技球が流出可能な賞球流出口５４が設けられている。賞球流出口５４は、遊技球を整列させながら流下させる透明プラスチック製の賞球誘導樋５６を介して、賞球払出装置５８に接続されている。また賞球誘導樋５６の中間部には荷重センサ６０ａ、６０ｂが設置されており、遊技球の誘導状況を検出可能である。
　【００１４】
　賞球払出装置５８は、例えば特開平５−４２２４８号公報に記載されているように、ステッピングモータ（図示略）にて駆動されるフライトスクリュ（図示略）を備え、ステッピングモータの回転に応じて賞球誘導樋５６から遊技球を導入し排出口６２から排出する。
　【００１５】
　さらに、図２および図３に示すように、賞球誘導樋５６には、遊技球を整列させるための整列板５９が内挿されており、賞球払出装置５８の上方には、賞球タンク５０に隣接してヒューズボックス６１が設置されている。
　図２、図３および図４に示すように、賞球払出装置５８の排出口６２の下方には、賞球払出装置５８から排出される遊技球を導く賞球導入樋６４を備えるプラスチック製の賞球受部材６６が接続されている。この賞球受部材６６の内部には、遊技球の落下速度を規制するための屈曲部（図示略）が設けられており、賞球導入樋６４を経て落下した遊技球は屈曲部で落下速度を調節されて落下口６８から排出される。
　【００１６】
　図３に示すように、この落下口６８は、裏盤４８に設けられている壁状の樋部７０と透明プラスチック製のカバー部材７２とで形成される賞球樋７４に連通している。この賞球樋７４は下部中央に縦壁７６を備える箱状の賞球振り分け機構７８に連通している。
　【００１７】
　図３および図６に示すように、賞球振り分け機構７８は、賞球として排出される遊技球を上受け皿２８と下受け皿３０とに振り分けて排出するため機構で、上受け皿２８へ連通する上皿導入口８０および下受け皿３０に連通する下皿導入口８２とが、縦壁７６を介して互いに隣接して開口している。また上皿導入口８０の底部および側壁部は、落下する遊技球の衝撃からこれらを保護するための金属製のカバー８４で被覆されている。この構成により、賞球樋７４から落下した遊技球は、通常は縦壁７６によって上皿導入口８０側から下皿導入口８２側への水平方向の移動を阻まれて上受け皿２８へと導かれることになる。ところが、入賞の連続等があり上受け皿２８に多量の遊技球が蓄積されると上皿導入口８０付近まで遊技球によって満たされて、上皿導入口８０へ遊技球が進入できなくなることがある。このような状態で賞球樋７４から排出された遊技球は、上皿導入口８０付近に滞留する遊技球によって通路を遮られるので、縦壁７６の上方の空間を通過して下皿導入口８２側へ溢流し、下受け皿３０へと導かれることになる。したがって、上受け皿２８への遊技球の受け入れに余裕があるにもかかわらず、賞球としての遊技球が下受け皿３０へと排出されることは回避される。
　【００１８】
　また図３に示すように、賞球樋７４には、図示しないソレノイドで駆動されるダンパ８６を介して玉抜樋８８が接続されている。この玉抜樋８８は、例えばパチンコ機１０を島から撤去する場合等に、賞球タンク５０、賞球誘導樋５６等に貯留されている遊技球を機外へ排出するための経路であり、玉抜スイッチ（図示略）をオンするとダンパ８６が駆動されて、賞球樋７４と賞球振り分け機構７８との連通を遮断すると共に賞球樋７４と玉抜樋８８とを連通させる。併せて賞球払出装置５８が稼動して賞球タンク５０からの遊技球を排出する。排出された遊技球は賞球導入樋６４、賞球受部材６６、賞球樋７４および玉抜樋８８を経て機外へ排出される。
　【００１９】
　従来の遊技機においては、賞球払出装置の上流側に設置されたダンパを操作ピンによって機械的に操作して玉抜き作業を実施する構成であったため、ダンパ操作のために操作ピンを挿通させる操作穴をダンパ近傍に設ける必要があった。このためダンパの設置位置や操作穴の設置位置の自由度は低く、遊技機全体の構成を制限することもあった。
　【００２０】
　ところが本実施例のパチンコ機１０では、上述のようにダンパ８６および賞球払出装置５８が電気的に操作されるので、ダンパ８６や玉抜スイッチの設置位置は事実上制限されず、機構配置上の自由度が高まっている。
　賞球振り分け機構７８に隣接して、遊技盤１２から入賞球を集中して導く入賞球集合樋９０が設置されている。この入賞球集合樋９０には入賞した遊技球を入口９２から導入し、１球毎に賞球通過信号を出力して出口９４から排出する入賞球排出装置９６が設置されている。この賞球通過信号は、例えば賞球払出装置５８のステッピングモータを稼動させるための信号として使用される。
　【００２１】
　入賞球排出装置９６の出口９４には入賞球排出装置９６から排出された遊技球の通路としての入賞球排出樋９８が設けられている。また入賞球排出装置９６の左方には、遊技盤１２の下部に開口するアウト穴（図示略）に接続されているアウト球排出樋１００が設置されている。図示のように、入賞球排出樋９８とアウト球排出樋１００とは合流して合流樋１０２に接続されており、この合流樋１０２には玉抜樋８８も合流している。さらに合流樋１０２の出口１０２ａには島に設置されている回収路（図示略）が接続されている。
　【００２２】
　こうした構成により、パチンコ機１０が稼動しているとき（遊技中）には、入賞球は入賞球排出装置９６および入賞球排出樋９８を経て合流樋１０２に導かれ、アウト球はアウト球排出樋１００を経て合流樋１０２に導かれ、いずれも回収路へと排出される。また上述した玉抜き作業の実施に当たって玉抜樋８８へと導かれた遊技球は、合流樋１０２を経て回収路へと排出される。
　【００２３】
　このように、入賞球、アウト球および玉抜き作業によって排出される遊技球のいずれもが、合流樋１０２から排出される。したがって、回収路は合流樋１０２の出口１０２ａのみに接続されればよく、パチンコ機１０と島との接続を簡略化できる。
　【００２４】
　また、裏盤４８の窓４８ａの下辺、賞球受部材６６と対向する側辺に沿った部分および上辺に沿って賞球誘導樋５６に覆われている部分には、各種の配線（図示略）を収納する配線ピット１０６が設けられている。この配線ピット１０６の側辺部１０６ａは、窓４８ａに揺動自在に設けられているピットカバー１０６ｂを矢印Ｋ方向に揺動させることで、閉鎖状態および開放状態とできる。図示は開放状態であるが、閉鎖状態とした際には、ピットカバー１０６ｂの３箇所に設けられている突起１０６ｃで配線ピット１０６の壁面との摩擦力によりピットカバー１０６ｂを閉鎖状態に保持できる。この裏盤４８に形成されている配線ピット１０６は、少なくとも３面（側辺部１０６ａは４面とも）が導電性プラスチック製となるので、この配線ピット１０６内に収容される電気配線は電磁的にシールドされることになる。したがって、これらの電気配線へのパチンコ機１０の内外からの電磁波の侵入は防止される。このため、例えば電気配線を介して侵入したノイズによって制御装置が誤作動する等の事故は防止できると共に電波発信機等を使用する不正行為に対する防御性能が向上する。
　【００２５】
　図２および図３に示すように、裏盤４８の窓４８ａの下方に端子板１０８が装着されており、端子板１０８と裏盤４８との間には端子板１０８に接続されている配線（図示略）を収容する配線ピット１０６の一部が形成されている。また端子板１０８の下方には副制御基盤１１０が装着されている。
　【００２６】
　図２、図３、図４、図５および図６に示すように、裏盤４８の下縁隅には、図５および図６に示される発射装置１１２のモータ１１２ａを収容するためのモータ収容室１１４が設けられている。またモータ収容室１１４に隣接して設けられている調節器収容室１１６には、図５および図６に示される調節器１１８が収容されている。この調節器１１８は、発射ハンドル４０とモータ１１２ａとの間に介装されており、発射ハンドル４０の操作に応じてモータ１１２ａに供給される電力等を調節するためのものである。
　【００２７】
　図２、図４および図５に示すように、裏盤４８の樋部７０と共に賞球樋７４を構成しているカバー部材７２には、カバー部材７２に設けられている一対の軸ピン１２０ａ、１２０ｂに回動可能に軸支されて、カバー部材７２の外面側を通過して副制御基盤１１０に接続される配線（図示略）を保護するための透明プラスチック製の配線カバー１２２が装着されている。
　【００２８】
　図２および図３に示すように、裏盤４８には、端子板１０８と副制御基盤１１０との間およびモータ収容室１１４に隣接する部分に、一対の軸ピン１２４ａ、１２４ｂが設けられている。
　図４、図５および図６に示すように、これらの軸ピン１２４ａ、１２４ｂには、主制御基盤１２６を保持する基盤保持部材１２８が軸支されている。主制御基盤１２６は、基盤保持部材１２８にビス止めされると共に基盤カバー１３０にて覆われている。また、基盤保持部材１２８の軸ピン１２４ａ、１２４ｂと対向する辺には一対の連結ピン１３２ａ、１３２ｂが取り付けられている。これら連結ピン１３２ａ、１３２ｂは、図２および図３に示されるカバー部材７２の一対の連結穴１３４ａ、１３４ｂと係合して、基盤保持部材１２８の回動を規制している。
　【００２９】
　図７に示すように、連結ピン１３２ａ、１３２ｂは先端側に設けられた割ピン部１３６ａ、後端に設けられたフランジ１３６ｂおよび割ピン部１３６ａとフランジ１３６ｂとの中間に設けられた嵌合部１３６ｃを備える筒体１３６と、この筒体１３６に進退可能に挿通された軸部１３８ａと軸部１３８ａに固着されたつまみ１３８ｂとを備えるピン体１３８とから構成されている。これらの連結ピン１３２ａ、１３２ｂは、筒体１３６の嵌合部１３６ｃを基盤保持部材１２８の嵌合穴１２８ａに嵌合させることで、基盤保持部材１２８に装着されている。
　【００３０】
　このような連結ピン１３２ａ、１３２ｂでは、ピン体１３８の軸部１３８ａを矢印Ｍ方向に沿って相対移動させると、筒体１３６の割ピン部１３６ａは外径を拡大する方向に弾性変形させられる。また軸部１３８ａを矢印Ｎ方向に沿って相対移動させると、割ピン部１３６ａは上記弾性変形を回復する方向に変形し外径が縮小される。このため、割ピン部１３６ａの外径を縮小状態としてこれをカバー部材７２の連結穴１３４ａ、１３４ｂに挿通させ（
図７
　【００３１】
　したがって、このように割ピン部１３６ａと連結穴１３４ａ、１３４ｂとを嵌合状態とすれば、基盤保持部材１２８を連結ピン１３２ａ、１３２ｂでカバー部材７２に固定し、軸ピン１２４ａ、１２４ｂで裏盤４８に固定することになる。既に述べたようにカバー部材７２もまた裏盤４８に固定されているので、上記の場合、基盤保持部材１２８は裏盤４８に対して固定されることになる。一方、割ピン部１３６ａと連結穴１３４ａ、１３４ｂとの該嵌合を解除すれば、軸ピン１２４ａ、１２４ｂを軸として基盤保持部材１２８を裏盤４８に対して開閉、揺動させることができる。
　【００３２】
　なお図４に示すように、裏盤４８には賞球受部材６６に設けられている軸ピン１４０ａおよびカバー部材７２に設けられている軸ピン１４０ｂに軸支された遊技盤カバー１４２が装着されているが、この遊技盤カバー１４２も上記基盤保持部材１２８の連結ピン１３２ａ、１３２ｂと同様の連結ピン１４４を備えており、この連結ピン１４４を操作することによって裏盤４８に対して閉鎖、固定された状態および揺動可能な開放状態とできる。
　【００３３】
　パチンコ機１０から前面枠１４および皿部材３２を取り去った状態の正面図である図８に示すように、裏盤４８は、２個のヒンジ１４８、１４８を介して本体枠４４の第１側壁４４ａに軸支され、また図２および図８に示すように、一対の係止機構１５０、１５０を介して第２側壁４４ｂに係脱可能に係止されている。
　【００３４】
　図９に示すように、この係止機構１５０は、ピン１５２に軸支されて矢印Ｃに沿って揺動可能に裏盤４８に装着された係止部材１５４と本体枠４４の第２側壁４４ｂに固着された係止バー１５６とから構成されている。係止部材１５４には、係止バー１５６と係止可能な係止鈎１５４ａおよびハンドル１５４ｂとが設けられており、ハンドル１５４ｂを矢印Ｃに沿って揺動させることによって係止鈎１５４ａを係止バー１５６に係脱させることができ、この操作によって裏盤４８を本体枠４４に係止させ、その係止を解除できる。
　【００３５】
　図８に示すように、裏盤４８には４箇所の圧締機構１５８を介して遊技盤１２が保持されている。
　図１０に示すように、圧締機構１５８には一対の板状の突起１６０ａ、１６０ｂを備えた圧締部材１６０、半月状の横断面形状を有し圧締部材１６０を貫通する軸１６２および軸１６２を回転操作するノブ１６４が設けられている。圧締機構１５８は圧締部材１６０とノブ１６４との間の軸１６２を裏盤４８の軸穴１６６に回動自在に保持されており、圧締部材１６０は裏盤４８に形成された挿通部１６８に収容されている。このような構成により、ノブ１６４を介して圧締部材１６０を約９０度の範囲で回動させれば、遊技盤１２と裏盤４８の圧締縁部１７０とを密接、圧締状態（図１０（ａ）、（ｃ）参照）とし、この状態から解放（図１０（ｂ）、（ｄ）参照）することができる。
　【００３６】
　図８に示すように、裏盤４８に装着された遊技盤１２は、上述の圧締機構１５８によって水平方向の移動を規制され、裏盤４８のサポート部４８ｃによって支承されて重力方向の移動を規制されているが、圧締機構１５８による圧締を解除すれば、遊技盤１２を図８における紙面垂直方向に移動させて裏盤４８から離脱させることができる。またこれと逆に作業すれば遊技盤１２を裏盤４８に装着できる。このように遊技盤１２の裏盤４８への着脱が裏盤４８の前面側から可能であり、しかも容易である。したがって、例えば遊技盤１２のみを新規な遊技盤と交換する作業は、きわめて容易となる。
　【００３７】
　このように、本体枠４４に保持される裏盤４８にて直接に遊技盤１２を支えるので、従来のパチンコ機等では本体枠に軸支されて遊技盤を保持すると共に発射ハンドル４０等を固定していた木製の前枠が不要となっている。また前枠に固定されて遊技盤を支承するプラスチック製の中枠も不要となっている。すなわち、本実施例の裏盤４８は、従来のプラスチック製のいわゆる裏パックと遊技盤を保持する前枠および中枠との機能を備えており、このように構成することで部品点数を削減できる。
　【００３８】
　図５、図６および図８に示すように、裏盤４８の下部には上述の発射装置１１２が装着されている。この発射装置１１２はモータ１１２ａにて駆動される打球槌１１２ｂにて、発射装置１１２の斜め上方に配されている発射レール１７１の後端部１７１ａに置かれた遊技球を打撃することで、遊技球を発射することができる。発射された遊技球は、発射レール１７１を経て、遊技盤１２に固着されているガイドレール１７２に沿って誘導されて遊技領域１８へ放出される。なお、発射レール１７１とガイドレール１７２との間には、例えば打球槌１１２ｂによる付勢が不足して、遊技領域１８に到達できなかった遊技球を回収して下受け皿３０へと導くためのファール球誘導路１７４が設けられている。
　【００３９】
　本体枠４４の第１側壁４４ａの内面側には、４箇所の迫出しヒンジ１７６ａ、１７６ｂ、１７６ｃ、１７６ｄが設置されており、迫出しヒンジ１７６ａ、１７６ｂには前面枠１４が取り付けられ、迫出しヒンジ１７６ｃ、１７６ｄには皿部材３２が取り付けられている。
　【００４０】
　図１１および図１２に示すように、迫出しヒンジ１７６ａ〜１７６ｄは、固定部材１７８を介して第１側壁４４ａに固定されている。この固定部材１７８には、ピン１８０を中心として揺動自在に板状片１８２が連結され、ピン１８４を中心として揺動自在に三角片１８６が連結されている。また板状片１８２の他端はピン１８８を介して相互に揺動自在にＬ字板１９０の後端部に連結されており、三角片１８６の中央頂点部はピン１９２を介して相互に揺動自在にＬ字板１９０の中央部に連結されている。このＬ字板１９０の先端側は略コの字状となっており、その突端は、前面枠１４（皿部材３２）に固着された凹部材１９４に、ピン１９６を介して相互に揺動自在に連結されている。さらに、この凹部材１９４に、ピン１９８を介して連結されたＳ字片２００の他端は、ピン２０２を介して三角片１８６に連結されている。
　【００４１】
　このような迫出しヒンジ１７６ａ〜１７６ｄでは、閉鎖状態（図１１参照）から開放状態（図１２参照）へ移行する際には、Ｌ字板１９０およびＳ字片２００が矢印Ｅ方向に沿って引き出されるように変位する。しかし、三角片１８６の中央付近に連結されているＬ字板１９０の変位量よりも三角片１８６の先端部に連結されているＳ字片２００の変位量が大きくなるので、前面枠１４（皿部材３２）は矢印Ｅ方向に沿って迫出すと共に矢印Ｆ方向に沿って揺動することになる。このように、前面枠１４（皿部材３２）は本体枠４４から離脱しつつ扇形に移動するので、開放状態では前面枠１４（皿部材３２）と本体枠４４との間に空隙Ｋが形成される。したがって、例えば隣接する他のパチンコ機やパチンコ機の間に設置されている玉貸機と開放された前面枠１４（皿部材３２）との間にも空隙Ｋに応じた距離的なゆとりが確保できる。従って、例えば前面枠１４を従来よりも大きな角度で開くことが可能となり、パチンコ機１０内部のメンテナンス等が一層容易となる。また、例えば空隙Ｋに見合っただけ上下の受け皿を張り出すことも可能となり、上下の受け皿の容積を増加することができる。
　【００４２】
　図１３に示すように、これらの迫出しヒンジ１７６ａ〜１７６ｄを介して本体枠４４に取り付けられている前面枠１４および皿部材３２の裏面側には、各種の部材が設置されている。なお、図１３にては前面枠１４と皿部材３２とを明瞭に区別するために、実際以上に両者を離隔させて表示している。
　【００４３】
　先ず前面枠１４について説明すると、上辺２０６に沿って大当りランプ２０への配線を保護するための保護板２０８が設置されている。また迫出しヒンジ１７６ａ、１７６ｂと対向する側辺に沿って、本体枠４４の第２側壁４４ｂに固着されたＬ部材（図示略）と係止して前面枠１４を閉鎖状態に維持するための前面枠係止機構２１０が配されている。この前面枠係止機構２１０は、所定の範囲で上下動可能な係止板２１２、係止板２１２を上方向に付勢するばね２１４および錠２４を介して回動操作され係止板２１２を下方へ押し下げ可能な押部材２１６を備えている。前面枠１４が閉じられた状態では係止板２１２とＬ部材とが相互に係止し、ばね２１４はこの状態を保持すべく係止板２１２を付勢しているが、錠２４を介して押部材２１６を回動させ、係止板２１２をばね２１４の付勢力に抗して押し下げると、係止板２１２とＬ部材との係止は解除され、前面枠１４を開放可能となる。
　【００４４】
　また、前面枠１４には迫出しヒンジ１７６ａ、１７６ｂとの間に配された一対の軸ピン２１８、２１８に軸支されて、ガラス枠１３が装着されている。
　図１４に示すように、ガラス枠１３は矩形でガラス１６ａ、１６ｂを保持する一対のガラス溝２２０ａ、２２０ｂを備える外周部材２２２と外周部材２２２の内部に配されて中央に略円形の空間を形成している装飾部１３ａとで構成されており、図示左側には軸ピン２１８、２１８と係合可能な穴を備えた係合部２２４ａ、２２４ｂを有する金属製の係合支持金具２２６が固着されている。また、係合支持金具２２６と対向する辺には、ガラス１６ａ、１６ｂをガラス溝２２０ａ、２２０ｂ内に保持すると共に、蝶番部２２８ａ、２２８ｂを軸として開閉しガラス１６ａ、１６ｂの挿入、取出しを可能とする金属製のガラス押え板２３０が装着されている。ガラス押え板２３０の中央付近には、鋼製の弾性板２３２が配されている。この弾性板２３２は矢印Ｇ方向に沿って弾性変形可能である。また、ガラス押え板２３０の上端とガラス枠１３の上辺との間にはガラス押え板２３０を上辺側（ガラス押え板２３０を閉じる方向）に付勢する弦巻ばね２３３が介装されており、この弦巻ばね２３３の付勢カでガラス押え板２３０は閉鎖状態に保持されている。
　【００４５】
　図１３に示すように、ガラス枠１３を前面枠１４に密接させた際には、弾性板２３２は押部材２１６の後端部２３４に当接している。このためガラス枠１３は、後端部２３４によって前面枠１４からの離脱を規制されている。一方、弾性板２３２をガラス枠１３の中心方向に向かって弾性変形させた際には、弾性板２３２は後端部２３４との当接状態から解放され、ガラス枠１３は軸ピン２１８、２１８を軸として揺動可能となる。したがって、弾性板２３２を操作することによってガラス枠１３を前面枠１４に密接する状態から離脱させることができる。なお、弾性板２３２は、後端部２３４からの押圧力によって、上記弦巻ばね２３３と共にガラス押え板２３０を閉鎖状態に保持する機能も有しており、上記のようにしてガラス枠１３を前面枠１４から離脱させた時には、弦巻ばね２３３の付勢力に抗してガラス押え板２３０を開放可能である。
　【００４６】
　次に、皿部材３２の裏面側について説明すると、皿部材３２の裏面はプラスチック製の裏板２３６で覆われており、裏板２３６を貫通して上受け皿２８の上皿排出口３４に通ずる通路２３８が開口している。この通路２３８の下方に配された略平行四辺形の部材は、下皿導入口８２からの遊技球を下受け皿３０の下皿排出口３６へと導くためのバイパス部材２４０であり、上辺部に遊技球口２４２が設けられている。またバイパス部材２４０下部の凸状部２４４に対応して、裏板２３６には下受け皿３０に通ずる開口が設けられている。さらに、バイパス部材２４０の凸状部２４４の斜め上方には、発射装置１１２から発射されて遊技領域１８に到達できなかった遊技球が回収されるファール球誘導路１７４からの遊技球を受け入れるためのファール球受口２４６が設けられている。
　【００４７】
　バイパス部材２４０の図示左側は裏板２３６が一部削除されており、この内部には、上受け皿２８から供給される遊技球を１球ずつ発射レール１７１内に供給する発射球供給装置２４８が設置されている。また裏板２３６には、発射球供給装置２４８の下方に、発射ハンドル４０と発射装置１１２とを接続するリード線（図示略）の通路としてのリード線穴２５０が設けられている。
　【００４８】
　さらに、皿部材３２の迫出しヒンジ１７６ｃ、１７６ｄと対向する辺に沿って、本体枠４４に設置された下係止部材（図示略）と係止可能な係止部２５２ａ、２５２ｂを有する鋼製の係止金具２５２が取り付けられている。したがって、本体枠４４の下係止部材と係止部２５２ａ、２５２ｂとの係止を解除すれば皿部材３２を迫出しヒンジ１７６ｃ、１７６ｄを軸として開放できる。また、開放した皿部材３２を本体枠４４に押し付けるように閉じれば、係止部２５２ａ、２５２ｂを本体枠４４の下係止部材と係止させることができ皿部材３２と本体枠４４とを接合状態に保持できる。
　【００４９】
　以上の構成になるパチンコ機１０を使用して遊技時における裏盤４８の静電気の帯電量を測定したところ、従来の遊技機の遊技時における裏パックの静電気の帯電量（約１０ＫＶＡ）の約１／４であった。
　上述のように、本実施例のパチンコ機１０は、裏盤４８のほぼ全体を導電性プラスチック製としているので、裏盤４８に発生した静電気は裏盤４８のほぼ全表面から速やかに空気中に放出される。このため裏盤４８の帯電量はきわめて低いものとなり、静電気が主制御基盤１２６等に悪影響を及ぼすことは防止される。また特別な放電手段を装着する必要もなくなる。
　【００５０】
　さらに、裏盤４８の一部に設けられた配線ピット１０６は少なくとも３面が導電性であるから、この配線ピット１０６内に収容される電気配線は電磁的にシールドされることになる。したがって、これらの電気配線へのパチンコ機１０内外からの電磁波の侵入は防止される。このため、例えば電気配線を介して侵入したノイズによって主制御基盤１２６が誤作動する等の事故は防止できると共に電波発信機等を使用する不正行為に対する防御性能が向上する。
　【００５１】
　【発明の効果】
　以上説明したように、本発明の遊技機においては、１枚の裏盤が従来の前枠、中枠および裏パックの機能を備えているので、遊技機の内部構造となる枠類を削減している。また部品点数の削減に伴って組み立て工数を削減することもできる。
　【００５２】
　更に、裏盤がプラスチック製であるので、例えば射出成形等で簡単に製造でき、寸法の誤差も小さくできる。
【図面の簡単な説明】
　【図１】　実施例のパチンコ機の正面図である。
　【図２】　実施例のパチンコ機の背面図である。
　【図３】　実施例のパチンコ機の裏盤および裏盤に装着される部品の分解斜視図である。
　【図４】　実施例のパチンコ機の裏盤および裏盤に装着される部品の一部分解斜視図である。
　【図５】　実施例のパチンコ機の下受け皿付近における横断面図である。
　【図６】　実施例のパチンコ機の上受け皿付近における横断面図である。
　【図７】　実施例のパチンコ機の連結ピンの拡大図であり、図７（ａ）は軸部を引き出した状態の平面図、図７（ｂ）は軸部を押し込んだ状態の平面図である。
　【図８】　実施例のパチンコ機において前面枠および皿部材を撤去した状態の正面図である。
　【図９】　実施例のパチンコ機の係止機構付近の拡大断面図である。
　【図１０】　実施例のパチンコ機の圧締機構の説明図であり、図１０（ａ）、（ｂ）は一部縦断面図、図１０（ｃ）は圧締状態の正面図、図１０（ｄ）は解除状態の正面図である。
　【図１１】　実施例のパチンコ機の迫出しヒンジの平面図である。
　【図１２】　実施例のパチンコ機の迫出しヒンジを開いた状態の平面図である。
　【図１３】　実施例のパチンコ機の前面枠および皿部材の背面図である。
　【図１４】　実施例のパチンコ機のガラス枠の斜視図である。
　【符号の説明】
１０・・・パチンコ機（遊技機）、１２・・・遊技盤、１３・・・ガラス枠、１４・・・上部前面枠、１６ａ・・・ガラス（ガラス板）、１８・・・遊技領域、２８・・・上受け皿、３０・・・下受け皿、３２・・・皿部材、４４・・・本体枠、４８・・・裏盤、５８・・・賞球払出装置、１１２・・・発射装置、１７６ａ、１７６ｂ・・・迫出しヒンジ（軸支手段）、２１８・・・軸ピン。